(57)【特許請求の範囲】
【請求項１】
医療用の注射装置であって、
−液状の薬剤を収容しており、出口および可動壁を備えている容積可変のリザーバと、
−前記液状の薬剤の１回分の投薬量を注射すべく動作することができ、前記可動壁の変位を生じさせるように構成されたアクチュエータ部材と、前記アクチュエータ部材を移動させるように構成された駆動部材と、前記駆動部材を方向付けるように付勢する付勢手段と
を備えている注射機構と、
−着脱式のキャップと、
−前記キャップが前記出口を覆うべく当該注射装置に取り付けられるときに前記キャップと整合するように構成されたキャップ受け入れ部と
を備えた注射装置であって、
前記キャップ受け入れ部が、前記キャップと前記注射機構との間の作用的結合部となり、該作用的結合が、前記キャップが前記注射機構に組み合わせられた部位に当接または係合することを含んでおり、
前記駆動部材が、前記キャップと前記キャップ受け入れ部との相対移動に応答して第１の位置から第２の位置へと移動するように構成されている、注射装置。
【請求項２】
前記キャップと前記キャップ受け入れ部との相対移動が相対的平行移動を含んでいる、請求項１に記載の注射装置。
【請求項３】
前記キャップと前記キャップ受け入れ部との相対移動が、前記キャップ受け入れ部からの前記キャップの取り外しを含んでいる、請求項１または２に記載の注射装置。
【請求項４】
前記駆動部材の移動に影響を及ぼすように構成された案内手段をさらに備えており、前記リザーバが環境に流体連通しているとき、前記第２の位置が前記案内手段によって画定される、請求項１〜３のいずれか一項に記載の注射装置。
【請求項５】
前記キャップが、前記注射機構との結合のための接触インターフェイスを備えており、
前記案内手段が、前記駆動部材を支持するための第１の台地を備えており、前記第１の位置が、少なくとも部分的に前記接触インターフェイスによって定められ、前記第２の位置が、前記第１の台地によって画定される、請求項４に記載の注射装置。
【請求項６】
前記案内手段が、前記駆動部材を支持するための第２の台地をさらに備えており、前記駆動部材が、前記注射機構が１回分の投薬量を注射すべく操作されるとき、前記第１の台地から前記第２の台地へと移動し、前記第１の台地と前記第２の台地との間の距離が、注射の際に前記出口を通って吐き出される薬剤の量に対応している、請求項５に記載の注射装置。
【請求項７】
前記アクチュエータ部材が、前記駆動部材が係合するように構成された軸方向に間隔を空けて位置する複数の歯を備えており、連続した２つの歯の間の距離が、前記第１の台地と前記第２の台地との間の距離よりも大きい、請求項６に記載の注射装置。
【請求項８】
投薬量を設定すべく動作することができる投薬量設定手段をさらに備えている、請求項１〜７のいずれか一項に記載の注射装置。
【請求項９】
前記投薬量設定手段が、操作されると所定の投薬量を設定するように構成されている、請求項８に記載の注射装置。
【請求項１０】
前記付勢手段が、平行移動および／または回転運動のためのエネルギーを貯蔵および放出するように構成されたばね部材を備えている、請求項１〜９のいずれか一項に記載の注射装置。
【請求項１１】
注射装置のプライミングのための方法であって、
−請求項１から１０のいずれか一項に記載の注射装置を用意すること、および
−前記注射装置から前記キャップを取り外すこと、を含んでいる方法。
【請求項１２】
前記リザーバが出口閉鎖具をさらに備えており、
−前記出口閉鎖具を尖った物体で貫くことをさらに含んでいる、請求項１１に記載の方法。
【発明の詳細な説明】
【技術分野】
【０００１】
本発明は、液状の薬剤を投与するための注射装置に関する。具体的には、本発明は、ユーザによる別途のプライミング作業を必要としない注射装置に関する。この注射装置は、例えば糖尿病を抱える者による自身でのグルコース調節薬の注射に特に適している。
【背景技術】
【０００２】
いくつかの治療の領域においては、処方された治療を順守しようとする患者の傾向が、個々の治療計画の単純さに左右される。例えば、２型糖尿病を抱える者は、比較的高齢でその病気であると診断されることが多いが、彼らは、自身の通常の生活への介入があまりにも多い治療を受け入れにくい傾向にある。これらの者の多くは、自身の病気を常に意識させられることを好まず、結果として複雑な治療パターンに巻き込まれることを望まず、面倒な投与システムの操作の学習に時間を費やすことも望まない。
【０００３】
基本的に、糖尿病を抱える者においては、グルコースの変動を最小限にすることが必要である。インスリンが、広く知られたグルコース降下薬であり、体内において効果を発揮するために非経口で投与されなければならない。インスリンを投与する現時点において最も一般的なやり方は、皮下注射である。そのような注射は、伝統的に、薬瓶およびシリンジを使用して実行されてきたが、近年では、いわゆる注射装置または注射ペンが、市場においてますます注目を集めるようになってきている。多くの人々が、これらの注射装置を、薬瓶およびシリンジのソリューションと比べて、取り扱いがより容易であり、全体としてより便利であると感じている。例えば、注射ペンは、あらかじめ満たされた薬剤容器を保持しているため、ユーザが、各々の注射の前に別途の充てん手順を実行する必要がない。
【０００４】
自身での注射に適しているいくつかの従来技術の注射装置においては、ユーザが、注射装置の投薬量設定機構を使用して所望の投薬量を設定し、その後に注射装置の注射機構を使用して先に設定した投薬量を注射しなければならない。この場合、投薬量が可変であり、すなわちユーザが、注射を行うたびに、個々の状況に適した投薬量を設定しなければならない。
【０００５】
他の従来技術の注射装置は、動作のたびに固定投薬量を注射するように構成されている。この場合、ユーザは、投薬量設定機構または投薬量準備機構を使用して注射装置を準備することによって固定投薬量を設定し、その後に注射機構を使用して投薬量を注射しなければならない。
【０００６】
個々の注射装置の種類にかかわらず、注射の際に送り込まれる薬剤の量が設定された投薬量に実際に一致するようことを確実にするために、ユーザが注射の前に装置のプライミングを行うことが通常は推奨される。可変の投薬量の注射装置においては、プライミングを、わずかな投薬量を設定し、これを本体の外へと放出することによって実行することができる。これにより、ピストンロッドが注射装置においてわずかな距離だけ進められ、容器の中身がピストンによって加圧されるようにする。この動作の結果として、少量の薬剤が無駄にされるが、ユーザにとっては、ピストンロッドがピストンに作用可能に接触していること、および送出経路に空気が存在しないことの両方が保証される。しかしながら、固定投薬量の注射装置においては、注射機構が作動するたびに治療に相応しい特定の投薬量が送り出されるため、そのようなプライミング動作が、通常は、はるかに大量の薬剤を無駄にする結果となる。
【０００７】
ＥＰ０９３７４７７Ｂ１が、ペンの中央部の周囲のスリーブを回転させることによって手作業によるプライミングをユーザにとって実行可能にするプライミング制御機構を備えている薬剤送出ペンを開示している。
【０００８】
取り扱いが簡単であり、患者が使用方法を習得することが直観的かつ容易である注射装置を提供することが望ましい。特に、液状の薬剤の１回分または複数回分の投薬量を正確に投与することができると同時に、ユーザが実行する作業が最小限ですむ注射装置を提供することが望ましい。この点に関し、ユーザが注射の前に手作業によるプライミング作業を実行する必要がない注射装置を提供することが望ましい。さらには、特に固定の投薬量の注射装置、またはユーザによる投薬量設定の調節を提供していない他の種類の注射装置（例えば、いくつかの単発の注射器など）に関して、注射装置のプライミングの際に比較的大量の薬剤が無駄にされることを回避することが望ましい。
【０００９】
充てん済み注射ペンの製造および組み立てにおける種々の製造公差が、典型的には、個々のペンの特定の内部部品の相対位置のわずかな相違につながる。例えば、薬剤カートリッジ内のピストンに対するピストンロッドの位置が、ペンごとにさまざまである可能性があり、すなわちピストンロッドが、注射ペンが製造者から供給されたときに必ずしもピストンに当接していない。
【００１０】
さらに、一部の注射装置においては、充てん済みの注射装置またはユーザによって充てんが行われる注射装置のどちらであっても、投薬量設定機構の操作によってピストンロッドとピストンロッド駆動機構との間に遊びが生じ、おそらくはピストンロッドと容器内のピストンとの間にも遊びが生じ、ピストンがピストンロッドおよび／またはピストンロッド駆動機構に対して非支持の状態のままになる可能性がある。
【００１１】
ユーザが皮膚を貫いて注射針を挿入する際に誤って血管を貫いてしまった場合に、血圧によって非支持のピストンが近位方向に押され、容器への血液の逆流につながる。この状況は、ユーザに混乱または恐怖を引き起こす可能性があるため、望ましくない。
【発明の概要】
【発明が解決しようとする課題】
【００１２】
以上に鑑み、本発明の目的は、針の挿入時に血管を貫いてしまった場合のリザーバの容積の増大に抗するために、ユーザが注射のために装置を準備するときに、薬剤リザーバの可動部とリザーバの容積を減少させるように構成されたアクチュエータ要素との間の接触を自動的に確立する注射装置を提供することにある。
【００１３】
本発明のさらなる目的は、自動的に空気を追い出す特徴を取り入れており、ユーザが注射のために装置を準備するときに薬剤の送出経路から空気が自動的に取り除かれている注射装置を提供することにある。
【００１４】
本発明の開示において、上述の目的のうちの１つ以上に対処し、あるいは以下の開示および典型的な実施形態の説明から明らかな目的に対処する態様および実施形態が説明される。
【課題を解決するための手段】
【００１５】
本発明の一態様においては、液状の薬剤を投与するための機械式の注射装置が提供され、そのような注射装置は、前記液状の薬剤を収容しており、出口および可動壁を備えているリザーバ；前記液状の薬剤の１回分の投薬量を注射すべく動作することができ、力伝達手段（例えば、駆動部材）と、前記可動壁の変位を生じさせるように構成されたアクチュエータ部材と、前記力伝達手段および／または前記アクチュエータ部材を或る方向に付勢するための力をもたらすように構成された付勢手段とを備えている注射機構；着脱式のキャップ；および前記キャップが当該注射装置に取り付けられるときに前記キャップと整合する（例えば、当接または係合する）ように構成されたキャップ受け入れ部；を備えており、前記注射機構が、前記キャップ受け入れ部に作用可能に結合しており、前記キャップと前記キャップ受け入れ部との相対移動に応答して前記アクチュエータ部材を介して前記可動壁に付勢力を加えるように構成されている。
【００１６】
上述の構成によれば、キャップとキャップ受け入れ部との相対移動が、リザーバの加圧をもたらす。リザーバが環境に対して開いている（例えば、針アセンブリが出口に取り付けられることで、出口の閉鎖要素が貫かれている理由で）場合、アクチュエータ部材からの付勢力によって可動壁が変位させられることで、或る量の薬剤が注射装置から吐き出される。リザーバが閉じられている場合、アクチュエータ部材からの付勢力がリザーバを加圧された状態に保ち（例えば針アセンブリが出口に取り付けられるまで）、その後可動壁が変位し、或る力の薬剤が吐き出される。いずれのやり方でも、このような構成は、注射装置の自動プライミングをもたらし、したがってユーザが投薬量の薬剤の注射に先立って別途のプライミング作業を手作業で実行する必要がない。
【００１７】
注射装置は、注射機構の１つ以上の部品（例えば、力伝達手段および／またはアクチュエータ部材）の動きに影響を及ぼすための案内手段をさらに備える場合がある。例えば、注射装置が、キャップとキャップ受け入れ部との相対移動の結果として特定の注射機構の部品によって実行される運動について可能な最大範囲を定めるように構成された案内部材を備えることができる。そのような案内手段は、注射機構の動作に続いて吐き出される量よりも少ない量の薬剤の制御された送出を可能にすることで、大量の薬剤の喪失につながることがない注射装置のプライミングを提供する。
【００１８】
本発明の一実施形態においては、キャップとキャップ受け入れ部との間の相対的平行移動により、アクチュエータ部材に可動壁へと付勢力を作用させる。
【００１９】
本発明の一実施形態においては、キャップとキャップ受け入れ部との間の相対の回転運動により、アクチュエータ部材に可動壁へと付勢力を作用させる。
【００２０】
本発明の一実施形態においては、キャップとキャップ受け入れ部との間の相対的平行移動および回転運動の組み合わせにより、アクチュエータ部材に可動壁へと付勢力を作用させる。
【００２１】
一実施形態においては、キャップをキャップ受け入れ部から取り外すことにより、アクチュエータ部材に可動壁へと付勢力を作用させる。
【００２２】
キャップをキャップ受け入れ部から取り外すことにより、アクチュエータ部材が変位を被り、可動壁に当接するように移動して、可動壁へと付勢力を作用するようにしてもよい。これに代え、あるいはこれに加えて、キャップをキャップ受け入れ部から取り外すことにより、アクチュエータ部材が可動壁を変位してもよい。
【００２３】
注射装置は、例えば全体としての長手軸を定める円筒形の形態、箱状の形態、または他の関連形態のハウジングをさらに備えることができる。本発明の特定の実施形態においては、キャップをキャップ受け入れ部から取り外すことで、アクチュエータ部材が軸方向の変位を被る。
【００２４】
付勢手段は、注射装置、ばねなどのエネルギー手段、あるいは実際に力伝達手段および／またはアクチュエータ部材を特定の方向（例えば、リザーバの出口へと向かう方向）に付勢するために適した任意の手段の幾何学的構成を備えることができる。
【００２５】
キャップは、キャップ受け入れ部を介した注射機構との結合のためのインターフェイスを備えることができる。インターフェイスは、注射機構に組み合わせられた部品（例えば、力伝達手段など、注射機構そのものの一部分）または注射機構に接続された部品（力伝達手段に接続された中間部品など）に当接または係合するように構成された接触点または接触面であってもよい。
【００２６】
力伝達手段を、アクチュエータ部材に直接作用するように構成することができ、あるいは１つ以上の中間の要素を介してアクチュエータ部材に作用するように構成することができる。
【００２７】
本発明の一実施形態においては、力伝達手段が、アクチュエータ部材を移動させるように構成された駆動部材を備えており、キャップを注射装置から取り外すことで、駆動部材がアクチュエータ部材を可動壁に当接させ、リザーバを加圧する。
【００２８】
本発明の別の実施形態においては、力伝達手段が、アクチュエータ部材を移動させるように構成された駆動部材を備えており、キャップを注射装置から取り外すことで、駆動部材がアクチュエータ部材を押して可動壁を変位させる。
【００２９】
力伝達手段は、アクチュエータ部材に当接または係合するように構成された堅固な駆動部材を備えることができる。これに代え、あるいはこれに加えて、力伝達手段は、ばねなどの可撓な駆動部材を備え、この可撓な駆動部材が、アクチュエータ部材に当接または係合するように構成され、あるいは力伝達手段が堅固な駆動部材および可撓な駆動部材の両方を備える場合には、堅固な駆動部材に当接または係合するように構成される。
【００３０】
駆動部材は、ラチェットおよび爪のインターフェイスを介してアクチュエータ部材を移動させるように構成することができる。例えば、アクチュエータ部材に歯を設けることができ、駆動部材が、それぞれの歯と相互作用するための係合部材を備えることができる。この場合、アクチュエータ部材が駆動部材の平行移動に応答して平行移動を実行し、案内手段が、例えばキャップとキャップ受け入れ部との相対移動に応答して駆動部材によって実行される移動に対する平行移動ストッパを定めるなど、駆動部材について可能な最大の平行移動の範囲を定めるように構成される。
【００３１】
あるいは、駆動部材を、アクチュエータ部材の移動をねじ山インターフェイス（例えば、前記２つの部材の部位間のねじ山接続を備えている）を介して生じさせるように構成することができる。アクチュエータ部材が、例えばハウジング部材またはハウジングに対して回転に関して固定された別途の要素にさらに螺合しているため、駆動部材の回転運動に応答して平行移動を実行するように構成することができる。この場合、案内手段が、例えばキャップとキャップ受け入れ部との相対移動に応答して駆動部材によって実行される移動に対する回転ストッパを定めるなど、駆動部材について可能な最大の回転の範囲を定めるように構成される。
【００３２】
リザーバは、軸方向に変位可能なピストンを備えるカートリッジなど、可動壁を有する剛体容器であってもよい。あるいは、リザーバが、圧縮可能な袋などの可撓な容器であってもよく、あるいは一部分が剛体であって一部分が可撓である容器であってもよい。
【００３３】
本発明の文脈においては、用語「機械式の注射装置」を、電気モータによって駆動される注射装置と反対に、機械的に動作する注射装置を意味するものと解釈すべきである。
【００３４】
本文脈において、用語「アクチュエータ部材」は、駆動力をリザーバの可動壁へと伝達する機械的な要素を指して使用される。「アクチュエータ部材」は、ロッドおよびロッドの足を備えることができ、ロッドの足が、可動壁に物理的に接触する要素である。ロッドおよびロッドの足を、２つの別々の部品として製作することができ、あるいは１つの一体の構成要素として製作することができる。あるいは、「アクチュエータ部材」が、足を持たないロッドを備え、その場合には、ロッドそのものが可動壁に物理的に接触するように構成される。リザーバが軸方向に変位することができるピストンを備えているカートリッジ式のリザーバである場合には、「アクチュエータ部材」は、足を有しても有さなくてもよいピストンロッドであってもよい。用語「アクチュエータ部材」が、例えば板またはダイアフラムなど、駆動力を可動壁へと伝達するための他の適切な構造も包含することに、注意すべきである。
【００３５】
本文脈においては、用語「液状の薬剤」を、例えば溶液または懸濁液などの液体の状態にある薬剤を意味するものと解釈すべきである。
【００３６】
注射装置は、ただ１回分の投薬量の薬剤だけを送り出すことができる形式の注射装置であってもよい。あるいは、注射装置が、１回分の投薬量の薬剤を繰り返し設定および送出できる形式の注射装置であってもよい。その場合には、注射装置が、投薬量を設定すべく動作することができる投薬量設定手段をさらに備える。特定の実施形態においては、注射装置が、所定の投薬量を繰り返し設定および送出することができる。
【００３７】
本文脈においては、用語「所定の投薬量」を、投薬量設定手段の作動時に特定の固定の投薬量が設定され、すなわち任意の投薬量を設定することはできないようなやり方で解釈すべきである。しかしながら、所定の投薬量は、最初に注射装置を選択された投薬量に設定することができ、その後に投薬量設定手段がこの選択された投薬量を投薬量設定手段が作動するたびに設定するという意味で、可変であってもよい。
【００３８】
投薬量設定手段または投薬量準備手段は、投薬量が設定されるときに作動する注射装置の一部である。投薬量設定手段は、注射装置の構成要素を、注射機構の作動時に所与の量の薬剤が送り出されるような相対位置に位置させる機構を備えている。注射機構は、作動時に設定された投薬量の注射を生じさせる注射装置の一部である。注射機構は、注射機構の作動によってアクチュエータ部材が移動することで、ピストンがリザーバの内部をリザーバからの液状の薬剤の吐出（例えば、リザーバに取り付けられた針アセンブリの針を介する）を生じさせる方向に移動するようなやり方で、リザーバの可動壁（例えば、ピストン）と協働するように構成された力伝達要素（例えば、可動のアクチュエータ部材）を備えている。投薬量設定機構および注射機構は、１つ以上の構造および／または機能要素を共有してもよい。
【００３９】
着脱式のキャップを、非使用時の注射装置の出口部分（針保持部またはジェット注射ノズルなど）を覆うように構成することができる。これにより、着脱式のキャップが、例えば針保持部に取り付けられた針を保護し、針の突き刺しを防止し、さらには／あるいは液状の薬剤が誤ってこぼれることを防止することができる。投薬量の薬剤の注射が望まれるときに、キャップを取り外し、出口部分を露出させることができる。
【００４０】
キャップ受け入れ部は、着脱式のキャップが注射装置に取り付けられるときに着脱式のキャップを受け入れて保持するように構成された注射装置の一部分である。キャップ受け入れ部は、バヨネットジョイント、ねじ山付きの部位、スナップロック、など、キャップを保持するための手段を備えることができる。キャップ受け入れ部を、キャップが注射装置の遠位部または出口部分を覆うべく注射装置に取り付けられるときにキャップを受け入れるように構成することができる。あるいは、キャップ受け入れ部を、キャップが注射装置の近位部に取り付けられるときにキャップを受け入れるように構成することができる。キャップ受け入れ部が、キャップが注射装置および／またはリザーバの出口部分を覆うべく注射装置に取り付けられるときにキャップを受け入れるように構成される場合、医療用の注射装置が通常は注射の実行を可能にするためにユーザが注射装置の出口部分から保護キャップを取り外すことを必要とするため、上述の自動プライミング機能が、自然または周知の使用パターンの一部にもなる。換言すると、プライミングが、ユーザがいかなる追加の作業工程も学習および実行する必要なく、注射装置によって自動的に実行される。
【００４１】
キャップとキャップ受け入れ部との間のインターフェイスは、キャップが実質的に直線的な移動、回転運動（例えば、純粋な回転またはらせん状の運動）、または直線運動と回転運動との組み合わせにてキャップ受け入れ部から取り外されるようなインターフェイスであってもよい。
【００４２】
投薬量設定手段を、キャップ受け入れ部に作動可能に連結することができ、すなわちキャップ受け入れ部の特定の動作の実行が、投薬量設定手段に影響を及ぼす。具体的には、投薬量設定手段およびキャップ受け入れ部を、キャップを注射装置に取り付けることによって投薬量設定手段による投薬量の設定が生じるようなやり方で連結することができる。投薬量設定手段およびキャップ受け入れ部を、直接的または１つ以上の中間部品を介して機械的に連結することが可能であり、あるいはキャップ受け入れ部の特定の動作が投薬量が設定されるようなやり方で投薬量設定手段に影響を及ぼす限りにおいて、任意の他の適切なやり方で連結することができる。
【００４３】
本発明の特定の実施形態においては、キャップを注射装置に取り付けることで、或る要素がアクチュエータ部材に対して軸方向に移動し、係合部材をアクチュエータ部材に沿ってさらに近位方向の位置へと移動させる。したがって、キャップが注射装置に取り付けられるたびに、係合部材がアクチュエータ部材に沿ってアクチュエータ部材の近位端に向かってさらに移動する。
【００４４】
付勢手段は、蓄えたエネルギーを投薬量の薬剤の注射の際に放出するように機能するエネルギー手段を備えることができ、放出されるエネルギーが、投薬量の注射を生じさせる。エネルギー手段を、投薬量の設定の際にエネルギー手段にエネルギーが蓄えられるようなやり方で投薬量設定手段に接続することができる。
【００４５】
エネルギー手段は、ばね部材を備えることができ、そのようなばね部材を、例えばばねの圧縮または引き伸ばしによって中心軸に沿って装てんされるように構成することができる。ばね部材は、圧縮ばねまたはねじりばねであってもよい。ばね部材が圧縮ばねである場合には、注射装置を、例えば以下のやり方で動作させることができる。キャップがキャップ受け入れ部に取り付けられるとき、ばね圧縮要素が例えば軸方向に動かされ、ばねを圧縮する。ばね圧縮要素は、この位置に係止され、ばね部材を圧縮された状態に保持する。キャップがキャップ受け入れ部から取り外されると、ばね圧縮要素の係止が解かれ、ばねがばね圧縮要素をわずかな距離だけ軸方向に変位させ、ばね圧縮要素をばね圧縮要素のさらなる軸方向の移動を抑止する保持構造に当接または係合させる。ばね圧縮要素のわずかな軸方向の変位は、ばね圧縮要素の移動によって達成されるばね圧縮要素とアクチュエータ部材との間の係合ゆえに、アクチュエータ部材の軸方向を移動させる。これにより、アクチュエータ部材が可動壁に当接し、リザーバが加圧される。結果として、リザーバの出口が開いている（例えば、注射針がリザーバの出口に取り付けられている）場合には、少量の薬剤がリザーバから吐き出される。次いで注射針が所望の注射部位に挿入されたときに、注射ボタンが押される。これにより、ばね圧縮要素が保持構造との係合から外れるように動かされ、ばねに蓄えられたエネルギーが、アクチュエータ部材が可動壁を変位させつつ移動して投薬量の薬剤をリザーバから注射針を介して注射するようなやり方で放出される。
【００４６】
上述のような構成において、ユーザがキャップを注射装置から取り外すと、アクチュエータ部材が自動的に軸方向の変位を被り、可動壁との当接を確実にする。これにより、より以前の使用段階において導入される可能性がある注射装置における遊びが取り除かれる。さらに、リザーバの出口が開いている（例えば、注射針が注射装置に取り付けられている）場合には、少量の薬剤が注射針を通ってリザーバから吐き出される。したがって、ユーザは、残存しうる空気が薬剤の送出経路から取り除かれることを確実にするために、別途の動作を実行する必要がない。単にキャップを注射装置から取り外すことによって、ユーザは、正確な量の薬剤が注射されるように注射装置を自動的に準備することができる。とりわけ、注射装置のプライミングにおいて大量の薬剤が無駄にされることがない。
【００４７】
典型的な実施形態においては、駆動部材が、投薬量の設定の際にアクチュエータ部材に対する相対移動を被るように構成され、投薬量の注射の際にアクチュエータ部材へと駆動力を伝えるように構成される。駆動部材を、駆動部材の移動によってエネルギー手段がエネルギーを貯蔵および／または放出し、反対にエネルギー手段からのエネルギーの放出によって駆動部材の移動が生じるようなやり方で、エネルギー手段に連結することができる。その点で、エネルギー手段は、駆動部材を特定の平行移動の方向および特定の回転の方向の両方に付勢すべく、回転による応力があらかじめ加えられた圧縮ばねを備えることができる。したがって、駆動部材が、ばね圧縮要素としても機能することができる。あるいは、エネルギー手段が、例えば各々が平行移動および回転運動に必要なエネルギー部分をもたらすことができる２つ以上のばね（例えば、平行移動のためのエネルギーをもたらすことができる圧縮ばねおよび回転運動のためのエネルギーをもたらすことができるねじりばね）、軸方向に圧縮できるねじり棒、あるいは回転によってあらかじめ応力が加えられた引張ばねを備える機構など、平行移動および回転運動のためにエネルギーを貯蔵および放出することができる他の構成を備えることができる。
【００４８】
アクチュエータ部材は、一式の軸方向に間隔を空けて位置する歯を、１つ以上の係合要素との係合のために備えることができ、駆動部材が、アクチュエータ部材の歯と係合するように構成された係合要素を備えることができる。そのような実施形態においては、投薬量設定手段が投薬量を設定すべく動作するときに、駆動部材がアクチュエータ部材に対する相対移動を被ることで、係合要素がアクチュエータ部材の歯との係合から外れるように動かされ、アクチュエータ部材に沿って動かされて、より近位側に位置する歯を過ぎる。その後に注射機構が設定された投薬量を注射すべく作動するとき、係合部材がたった今過ぎた歯に係合し、駆動部材が、アクチュエータ部材を伴いつつハウジング内を遠位方向に移動する。
【００４９】
案内手段を、駆動部材および／またはアクチュエータ部材の移動を案内するために設けることができる。案内手段は、ハウジングの一部を形成することができ、あるいはハウジングに対して固定された位置を有する別個の要素を備えることができる。これに代え、あるいはこれに加えて、案内手段は、ハウジングに対して移動することができる要素を備えることができる。案内手段を、駆動部材およびアクチュエータ部材が一部の相対移動の際に純粋な平行移動の相対運動を実行でき、別の一部の相対移動の際平行移動と回転運動との組み合わせの相対運動を実行できるように、構成することができる。案内手段は、駆動部材を明確な軸方向の位置に支持するための第１の当接面または第１の保持用の台地と、駆動部材を別の明確な軸方向の位置に支持するための第２の当接面または第２の保持用の台地とを備えることができる。一特定の実施形態においては、第１の保持用の台地と第２の保持用の台地との間の軸方向の距離が、注射の際の駆動部材の軸方向の変位に相当する。
【００５０】
本発明の一実施形態においては、アクチュエータ部材が、駆動部材が係合するように構成された２つ以上の間隔を空けて位置する歯を備えており、連続した２つの歯の間の距離が、第１および第２の保持用の台地の間の軸方向の距離よりも大きい。
【００５１】
本発明の典型的な実施形態においては、案内手段が、ハウジングに固定に配置された第１の案内部材と、ハウジングに可動に配置された第２の案内部材とを備えている。第１の案内部材が、アクチュエータ部材に実質的に平行な縦長の第１の案内面を備えており、この第１の案内面が、駆動部材とアクチュエータ部材との間の相対の純粋な平行移動を可能にする。第２の案内部材が、駆動部材とアクチュエータ部材との間の相対的平行移動および回転運動の組み合わせを可能にする斜めの第２の案内面を備えている。
【００５２】
本発明の他の実施形態においては、案内手段が、ハウジングに固定に配置された第１の案内部材と、着脱式のキャップに配置された第２の案内部材とを備えている。第１の案内部材が、アクチュエータ部材に実質的に平行な縦長の第１の案内面を備えており、この第１の案内面が、駆動部材とアクチュエータ部材との間の相対の純粋な平行移動を可能にする。第２の案内部材が、駆動部材とアクチュエータ部材との間の相対的平行移動および回転運動の組み合わせを可能にする斜めの第２の案内面を備えている。
【００５３】
本発明の特定の実施形態においては、キャップが、駆動部材または駆動部材に組み合わせられた中間の要素へと力を伝達することができる環状の縁を備えており、キャップがキャップ受け入れ部において注射装置に取り付けられたときに、駆動部材がキャップ受け入れ部に対してアクチュエータ部材との係合から外れる特定の位置をとるように強制される。キャップが注射装置に取り付けられている限りにおいて、駆動部材は、付勢手段の付勢力に逆らってこの位置に保持される。キャップがキャップ受け入れ部から取り外されると、駆動部材が、付勢手段の付勢力ゆえに、可動壁に向かって変位を強いられる。この変位は、キャップがキャップ受け入れ部に取り付けられたときのキャップの縁と第１の保持用の台地との間の初期の距離によってあらかじめ定められる。
【００５４】
変位の際に、駆動部材がアクチュエータ部材に係合し、アクチュエータ部材に可動壁へと向かう力を作用する。アクチュエータ部材と可動壁との間に遊びが存在する場合、アクチュエータ部材が可動壁に当接する。次いで、リザーバの出口が閉じられている場合には、アクチュエータ部材によってリザーバが加圧される。しかしながら、リザーバの出口が開いている場合には、アクチュエータ部材の移動によって可動壁がわずかな距離だけ変位し、リザーバの容積が減少する。
【００５５】
アクチュエータ部材がピストンロッドおよびピストンロッド足を備える場合には、これらは製造者によって物理的に接合（例えば、溶接または接着）されてもよい。特に、ピストンロッド足とピストンロッドとが接合される場合、ピストンロッド足が可動壁に接触でき、駆動部材を第１の保持用の台地のすぐ近位側の位置（例えば、０．５〜１ｍｍ上方）へと持ち上げることができることで、接合が完了し、駆動部材が解放されるとき、付勢手段が駆動部材に遠位方向への力を加え、結果として駆動部材がピストンロッドに遠位方向への力を加え、リザーバの加圧をもたらす。これは、例えば注射針アセンブリが注射装置の第１の使用に関連して出口へと取り付けられるときに、リザーバ内の余分な圧力が逃がされ、駆動部材がわずかな距離だけピストンロッドを従属させつつ付勢手段によって第１の保持用の台地へと動かされ、プライミングの量の薬剤が針を通って吐き出されることを意味する。重要なことには、ピストンロッドおよびピストンロッド足の接合の際に、駆動部材が、注射装置へのキャップの取り付け時にキャップによって動かされるよりもさらに持ち上げられることがない。これは、注射装置の長期保管の際にリザーバが負圧になる状況を回避するためである。
【００５６】
或る程度の時間保管されるとき、変位可能なゴム製ピストンを備えるカートリッジ式のガラス製リザーバを採用する注射装置は、ピストンがカートリッジの壁に貼り付くという問題に直面する可能性がある。これは、投薬量の送出の際に制御されないピストンの動きにつながる可能性がある。注射システムが上述のようにあらかじめ圧縮される場合、ひとたび注射装置が初めて使用されたならば、充分な圧力をカートリッジにおいてピストンの動きを開始させるために利用でき、投薬量の正確さが保証される。
【００５７】
本発明の別の態様においては、注射装置のプライミングのための方法が提供され、その方法は、
・或る量の薬剤を収容しており、出口および可動壁を備えている容積可変のリザーバと、前記可動壁を移動させるべく動作することができるアクチュエータ機構と、注射装置への装着時にキャップ受け入れ部を介して前記アクチュエータ機構に結合するように構成された着脱式のキャップとを備える注射装置を用意すること、および
・前記キャップと前記キャップ受け入れ部との間に相対運動を導入すること
を含んでいる。
【００５８】
その一実施形態において、本方法は、
・或る量の薬剤を収容しており、出口および可動壁を備えている容積可変のリザーバと、前記可動壁を移動させるべく動作することができるアクチュエータ機構と、着脱式のキャップと、前記キャップが注射装置に装着されるときに前記キャップと当接または係合するように構成されたキャップ受け入れ部とを備えており、前記キャップ受け入れ部および前記アクチュエータ機構が、前記キャップの前記キャップ受け入れ部への着脱によって前記アクチュエータ機構の位置に影響が及ぶように接続される注射装置を用意すること、および
・前記注射装置から前記キャップを取り外すこと
を含んでいる。
【００５９】
リザーバは、非使用の期間の間に注射装置から薬剤が漏れることを防止するように構成された出口閉鎖具（例えば、穿孔可能な膜など）をさらに備えることができる。その場合、本方法は、リザーバの出口と外部との間の流体連通を確立するために出口閉鎖具を尖った物体で貫くことをさらに含む。特定の実施形態においては、本方法が、両側が尖った注射針を備える注射針アセンブリを注射装置へと取り付けて出口閉鎖具を貫くことをさらに含む。
【００６０】
他の実施形態においては、医療用の注射装置のプライミングのための方法が提供され、その方法は、
・或る量の薬剤を収容しており、出口および可動壁を備えている容積可変のリザーバと、前記可動壁を移動させるべく動作することができるアクチュエータ機構と、着脱式のキャップと、前記キャップが注射装置に取り付けられるときに前記キャップに当接または係合し、前記キャップおよび前記アクチュエータ機構の結合のための結合領域をもたらすように構成されたキャップ受け入れ部とを備える注射装置を用意すること、および
・前記キャップと前記キャップ受け入れ部との間に相対運動を導入すること
を含んでいる。
【００６１】
特定の実施形態においては、上述の方法が、キャップとキャップ受け入れ部との間に相対的平行移動を導入するための動作を実行することを含む。
【００６２】
リザーバと対象ユーザの体内の対象の区画との間に流体連通が確立される前に実行される上述の方法のいずれによっても、注射装置が、アクチュエータ機構における遊びの可能性を取り除くことが保証され、したがって後の正確な薬剤の送出に備えて用意される。
【００６３】
リザーバからの薬剤の自動的な排出を生じさせるためにばねなどのエネルギー手段を採用しない注射装置においては、ユーザ自身が、アクチュエータ部材を駆動するために必要な力を加える。これは、注射が何らかの理由（例えば、詰まり）で妨げられた場合に、それをユーザがすぐに知ることを示唆する。なぜならば、系における抵抗に打ち勝つために、注射ボタンへと加える押しの力を急に増加させる必要があるからである。
【００６４】
しかしながら、自動的な注射を提供する注射装置においては、ユーザがピストンの動作に直接には関与しないため、送出の妨げがユーザに検知されないという危険が存在する。例えば、ユーザが、ばねを解放すべく注射ボタンを押すことができ、次にピストンを押してリザーバ内で移動させる。送出経路が何らかのかたちで妨げられている場合、ばねが、系における抵抗に打ち勝つために充分に強力でなく、投薬量の送出が不完全になる可能性がある。ユーザが妨げを検知できない可能性があり、投薬量の全体を摂取したと考える。そのような状況は、危険な結果につながりうる。
【００６５】
したがって、注射の完了をユーザに知らせることができる自動注射装置を提供することが望ましい。
【００６６】
したがって、本発明のさらに別の態様においては、窓を備えるハウジングと、薬剤を収容する容積可変のリザーバと、投薬量の薬剤を注射すべく動作することができる注射機構とを備えており、前記注射機構が、アクチュエータ部材と、投薬量が設定される第１の位置から設定された投薬量がリザーバから送り出された後の第２の位置へと前記アクチュエータ部材の変位を生じさせるための付勢手段とを備えており、前記窓が、前記アクチュエータ部材が前記第１の位置にあるときには第１の色の組み合わせを表示し、前記アクチュエータ部材が前記第２の位置にあるときには第２の色の組み合わせを表示する自動注射装置が提供される。
【００６７】
本文脈において、色の組み合わせは、２つ以上の色の組み合わせであっても、あるいは単純に単色であってもよい。本発明の典型的な実施形態においては、第１の色が、アクチュエータ部材が第１の位置にあるときに窓に表示され、第２の色が、アクチュエータ部材が第２の位置にあるときに表示され、第２の色は、視覚的に第１の色とは異なり、すなわち可視光線に対して、アクチュエータ部材が第１の位置にあるときに窓に表示される材料部分の反射率と、アクチュエータ部材が第２の位置にあるときに窓に表示される材料部分の反射率とが異なる。
【００６８】
このような構成によって、ユーザが、第２の色が窓に現れたか否かを確認することによって、注射が完了したか否かを確認することができる。本発明の特定の実施形態においては、第２の色が窓全体を満たしたとき、注射が完了している。
【００６９】
本明細書において、特定の態様または特定の実施形態への言及（例えば、「一態様」、「第１の態様」、「一実施形態」、「典型的な一実施形態」、など）は、それぞれの態様または実施形態に関して説明される個々の特徴、構造、または特性が、少なくとも本発明のその１つの態様または実施形態に含まれるが、必ずしも本発明のすべての態様または実施形態に含まれるわけではないことを意味する。しかしながら、本発明の種々の態様および実施形態に関して説明される特徴、構造、および／または特性の任意の組み合わせが、本明細書においてそのようではないと示されず、あるいは明らかに文脈から矛盾しない限り、本発明に包含されることが強調される。
【００７０】
本明細書におけるあらゆるすべての例または例示の言葉（例えば、「・・・など」など）の使用は、本発明を分かりやすく例示することを意図するにすぎず、特にそのようでないと請求項に記載されない限り、本発明の技術的範囲を限定するものではない。さらに、明細書における言葉または表現は、いかなる非請求の要素も本発明の実施に必須のものとして示していると解釈されてはならない。
【００７１】
以下で、本発明を、図面を参照してさらに説明する。
【図面の簡単な説明】
【００７２】
【図１】未装てんの状態にある本発明の第１の実施形態による注射装置の断面図である。
【図２】装てんされた状態にある図１の注射装置の断面図である。
【図３】最初の注射の前の本発明の第２の実施形態による注射装置の断面図である。
【図４】図３の注射装置の断面図であり、キャップが取り外され、装置がプライミングされている。
【図５】図３の注射装置の断面図であり、最初の注射の後である。
【図６】図３の注射装置の断面図であり、キャップが再び取り付けられ、装置が装てんされている。
【図７】図３の注射装置について、図３に相当する状況の別の断面図である。
【図８】図３の注射装置について、図４に相当する状況の別の断面図である。
【図９】ハウジング部分の断面斜視図であり、案内部材を詳細に示している。
【図１０】図３の注射装置において使用される押し要素の斜視図である。
【図１１】図３の注射装置において使用される駆動部材の斜視図である。
【図１２ａ】図３の注射装置において使用されるピストンロッドの異なる斜視図である。
【図１２ｂ】図３の注射装置において使用されるピストンロッドの異なる斜視図である。
【図１３】図３の注射装置において使用されるばね保持要素の斜視図である。
【図１４】図３の注射装置において使用される連結要素の斜視図である。
【図１５】図３の注射装置において使用される注射ボタンの斜視図である。
【図１６】注射機構の部品の斜視図であり、駆動部材、ピストンロッド、ばね、ばね保持要素、および連結要素の間の関係を示している。
【図１７】注射ボタンおよび押し要素を含む図１６の注射機構の斜視図である。
【図１８】投薬量の設定および注射の際の駆動部材の動きの二次元表現である。
【図１９】駆動部材をハウジングの窓を通して視認することができる１回分の投薬量の終わりの状況における図３の注射装置の断面図である。  図において、同様の構造は、主に同様の参照番号によって特定されている。
【発明を実施するための形態】
【００７３】
以下で、「時計方向」および「反時計方向」ならびに「近位側」および「遠位側」などといった相対的な表現が使用される場合、それらは添付の図を指しており、必ずしも実際の使用の状況を指しているわけではない。図示の図は、種々の構造体の構成およびそれらの相対的な寸法は、あくまでも例示の目的だけを果たすように意図されているという理由で略図である。
【００７４】
図１は、本発明の第１の実施形態による注射装置１の断面図である。図１においては、注射装置１が未装てんの状態で示されており、すなわち未だ投薬量が設定されていない。
【００７５】
注射装置１は、ハウジング２と、内部にカートリッジ４が配置されたカートリッジ保持部３と、注射ボタン５とを備えている。カートリッジ保持部３の遠位端に、注射針６が取り付けられている。ピストンロッド７が、遠位方向へのピストンロッド７の移動によって、カートリッジ３の内部に配置されたピストン８が遠位方向に動かされることで、カートリッジ４から液状の薬剤が注射針６を介して吐き出されるようなやり方で、ピストン８に当接して配置されている。
【００７６】
ユーザが注射を完了させたとき、キャップ（図１には示されていない）が、キャップ受け入れ部９において、注射針６を覆うような様相で注射装置１に取り付けられる。キャップは、キャップ受け入れ部９に取り付けられたとき、ドライバ１０を押し、ドライバ１０を近位方向に移動させる。これにより、ばね１１が圧縮され、ばね１１にエネルギーが蓄えられるとともに、１対のスナップアーム１２がハウジング２に配置された突起１３を越える位置へと近位方向に動かされる。
【００７７】
ドライバ１０は、ピストンロッド７に形成された歯（図示されていない）およびスライダ１０に形成された歯係合部１４を介してピストンロッド７へと接続されている。歯および歯係合部１４は、ドライバ１０がピストンロッド７に対して近位方向に動かされるときには歯係合部１４が歯を乗り越えて通過できるが、ドライバ１０が反対の方向に動かされるときはピストンロッド７がドライバ１０と一緒に動かなければならないようなやり方で構成されている。
【００７８】
さらに、上述のとおりの近位方向へのドライバ１０の移動により、注射ボタン５が近位方向に動かされ、すなわち注射ボタン５がハウジング２から突き出し、注射装置１が装てんされたことをユーザに知らせる。
【００７９】
図２は、装てんされた状態の図１の注射装置１の断面図である。図２においては、キャップ１５が、キャップ受け入れ部９において注射装置１に取り付けられている。注射ボタン５が、図１に示されている位置に比べて近位方向に移動していることが明らかである。また、スナップアーム１２が突起１３を越えて近位方向に移動していることも明らかである。
【００８０】
注射装置１は、キャップ１５がキャップ受け入れ部９に取り付けられるときにスナップアーム１２が突起１３（図２では見て取ることができない）を過ぎて近位方向に或る距離だけ移動し、すなわちスナップアーム１２が突起１３に係合しないように設計されている。キャップ１５が注射装置１に取り付けられている限り、キャップ１５とドライバ１０との間の接触界面が、ばね１１を圧縮された状態に実質的に保持している。キャップ１５がキャップ受け入れ部９から取り外されると、ばね１１が、自身の蓄えたエネルギーの一部を放出し、スナップアーム１２が突起１３に係合するまでドライバ１０を遠位方向に押す。この時点で、突起１３が、ばね１１を新たなわずかに低い圧縮状態に保持する。
【００８１】
スナップアーム１２を突起１３に係合するように移動させるドライバ１０の運動の際に、歯係合部１４が、ピストンロッド７の歯（図示されていない）に係合し、ピストンロッド７をわずかな距離だけ遠位方向に移動させる。このピストンロッド７の変位が、ピストン８へと伝達され、結果として少量の薬剤がリザーバ４から針６を通って吐き出される。
【００８２】
設定された投薬量を注射することが望まれるとき、ユーザは、注射針６を適切な注射部位に挿入する。次いで、注射ボタン５が遠位方向に押され、すなわちハウジング２に向かって、図１に示されている位置へと押される。これにより、押し面１６がスナップアーム１２を注射装置１の中心に向かって押し、スナップアーム１２を突起１３から解放する。したがって、ドライバ１０が遠位方向に移動できるようになり、投薬量の設定時にばね１１に蓄えられたエネルギーが、こを移動させる。ピストンロッド７の歯とドライバ１０の歯係合部１４との間の係合により、ピストンロッド７も一緒に移動する。これにより、ピストン８も遠位方向に移動し、結果として投薬量がカートリッジ４から注射針６を介して吐き出される。
【００８３】
注射が完了したとき、キャップ１５が再びキャップ受け入れ部９において注射装置に取り付けられることで、上述のように新たな１回分の投薬量が設定される。キャップ１５が注射装置１に取り付けられるたびにドライバ１０が同じ距離だけ動かされるため、設定される投薬量は、あらかじめ定められた固定の投薬量である。
【００８４】
図３が、本発明の第２の実施形態による注射装置１００を示している。注射装置１００は、製造者から届けられたままの装てん状態にあり、すなわち未だ注射に使用されていない。注射装置１００は、ハウジング１０２と、液状の薬剤を収容するカートリッジ１０４を支持するためのカートリッジ保持部１０３とを備えている。液状の薬剤は、カートリッジ１０４内を軸方向に移動することができるピストン１０８と、カートリッジの筒状の壁１４０と、薬剤出口１４１を覆うセルフシール膜１４２との間に位置している。液状の薬剤は、ピストンがカートリッジ１０４内を前進させられるときに、針ハブインターフェイス１４３を介して注射装置１００に取り付けられた注射針１０６を通って流れるように意図されている。キャップ１１５が、ハウジング１０２のキャップ受け入れ部１０９に取り付けられることで、カートリッジ１０４を保護し、薬剤出口１４１を覆う。ハウジング１０２に対して軸方向に往復移動することができる注射ボタン１０５が、ハウジング１０２の遠位端から突き出す位置に示されている。
【００８５】
ピストンロッド１０７が、ピストンロッド足１４７を介してピストン１０８へと取り付けられるとともに、注射ボタン１０５へと作動可能に接続されており、キャップ１１５が取り外され、注射ボタン１０５がハウジング１０２に対して押されるとき、ピストンロッド１０７がハウジング１０２を通って或る距離だけ軸方向に前進し、ピストン１０８を同じ距離だけカートリッジ１０４内で移動させ、所望の量の薬剤を出口１４１を通って注射する。
【００８６】
ピストンロッド１０７の移動は、注射ボタン１０５のらせん状の軌道（見て取ることができない）に係合している連結リング１３０と、連結リング１３０に係合しており、ピストンロッド１０７に係合してピストンロッド１０７へと駆動力を伝達するように構成されたドライバ１１０とによって実現される。ドライバ１１０は、平行移動および回転運動の両方のためにエネルギーを貯蔵および放出することができるあらかじめねじられた圧縮ばねであるばね１１１によって駆動される。ばね１１１の一端が、平行移動および回転の両方に関してハウジング１０２に対して固定されたばねベース１６０に保持され、ばね１１１の他端が、ドライバ１１０に、ばね１１１とドライバ１１０とが力およびトルクの両方をやり取りできるようなやり方で係合している。したがって、ドライバ１１０は、ハウジング１０２に対して平行移動および回転運動の両方を実行することができる。ばね１１１を、例えば２つの端部を半回転または１回転だけ互いにねじることによって、例えば注射装置１００の組み立て時にあらかじめねじっておくことができる。投薬量の設定および注射の際に、ドライバ１１０の移動は、案内部材１２０と、１対のスナップアーム１１８を介してドライバ１１０へと平行移動に関して固定された押し要素１１２とによって案内される。ドライバ１１０は、ドライバ１１０が遠位方向に移動するときはピストンロッド１０７上の１対の反対向きの歯１１９に係合し、ドライバ１１０が近位方向に移動するときは歯１１９に乗り上げるように構成された２つの反らすことができる爪１７６（１つだけを見て取ることができる）を備えている。図３においては、爪１７６が最も遠位側の歯１９１から離れており、すなわちドライバ１１０がピストンロッド１０７に係合していない。
【００８７】
図４においては、キャップ１１５が、キャップ受け入れ部１０９から取り外されている。これにより、最初に爪１７６がばね１１１によって遠位方向に押されて最も遠位側の歯１９１に係合し、続いてピストンロッド１０７がドライバ１１０に連動してピストン１０８をカートリッジ１０４内でわずかな距離（見て取ることができない）だけ変位させることで、注射装置１００の自動プライミングがもたらされている。自動プライミングの流れを、以下でさらに詳しく説明する。
【００８８】
図５が、最初の注射の後の注射装置１００を示している。注射ボタン１０５がハウジング１０２へと押され、結果としてばね１１１の作動およびピストン１０８の設定された投薬量に対応した移動がもたらされている。
【００８９】
図６において、キャップ１１５が、キャップ受け入れ部１０９において注射装置１００に再び取り付けられており、結果として１回分の投薬量が設定されている。再取り付けの際に、キャップ１１５が押し要素１１２に当接し、押し要素１１２を近位側へと移動させる。
【００９０】
これにより、ドライバ１１０が近位方向に動かされ、ばね１１１が軸方向に圧縮される。爪１７６が、近位方向に或る距離だけ持ち上げられ、今やピストンロッド１０７上の次の歯１９２の近位側に位置しており、両者の間に小さなすき間がもたらされている。
【００９１】
図７が、注射装置１００を、キャップ１１５がキャップ受け入れ部１０９に取り付けられた最初の注射の前の別の断面図にて示している。キャップ１１５が、キャップ１１５の外面とハウジング１０２の内面との間の螺合（見て取ることができない）によって取り付けられた位置に保持されている。キャップ１１５は、押し要素１１２の１対の接触足１１６に当接する環状（ｒｏｕｎｄ−ｇｏｉｎｇ）のキャップ縁１８２を有している。キャップ縁１８２が、接触足１１６に力を作用させ、これが２つの脚１１３を介してドライバ１１０に伝えられる。ドライバ１１０は、ばね１１１に係合しているため、ばね１１１によって押し要素１１２へと付勢されている。したがって、押し要素１１２が、キャップ１１５がキャップ受け入れ部１０９に取り付けられているとき、キャップ１１５へと付勢されている。
【００９２】
ドライバ１１０は、案内部材１２０との界面を通じてドライバ１１０の移動を制御するように構成された１対のスライド部材１７３を備えている。図７において、ドライバ１１０は、案内部材１２０に接していない。これを、それぞれのスライド部材１７３の接触足１７４と案内部材１２０の投薬量シェルフ１２３との間の小さなすき間によって見て取ることができる。
【００９３】
図７は、ハウジング１０２の透明窓１９９と、フック１６２（ばねベース１６０のハウジング１０２に対する回転および平行移動の固定をもたらす）によって占められた開口１６１とをさらに示している。１対のスナップアーム１６８が、連結リング１３０を平行移動に関してばねベース１６０に固定している。
【００９４】
図８が、キャップ１１５の除去後の注射装置１００を示している。キャップ１１５の取り外しの結果として、ばね１１１がスライド部材１７３を押して動かして投薬量シェルフ１２３に当接させていることを、見て取ることができる。
【００９５】
図９は、案内部材１２０をさらに詳しく示しているハウジング１０２の断面斜視図である。分かりやすくするために、カートリッジ保持部１０３の近位端が、図から取り除かれている。案内部材１２０は、キャップ１１５のキャップ受け入れ部１０９からの除去後にドライバ１１０を支持するように構成された投薬量シェルフ１２３を備えている。縦方向の案内面１２４が、投薬量シェルフ１２３の縁１２８から投薬量ストッパ１２５まで続いている。１対の半径方向に反らすことができるクリックフィンガ１２６（１つだけしか見て取ることができない）が、案内部材１２０に設けられており、各々のクリックフィンガ１２６が、ピストンロッド１０７との係合のための先端１２７を有している。案内部材１２０は、いくつかのスペーサ１８６によってハウジング１０２から離されてハウジング１０２内に同心に配置されている。突起１８７が、キャップ１１５上のらせん状の軌道部分と係合するように遠位側のハウジング縁１８５の付近に設けられている。この係合は、キャップ１１５がキャップ受け入れ部１０９に取り付けられたときに、キャップ１１５のハウジング１０２への軸方向の固定を提供する。
【００９６】
図１０は、投薬量の設定の際にドライバ１１０がスライドする２つのらせん状の案内部分１１７を示している押し要素１１２の斜視図である。脚１１３が、ハウジング１０２においてそれぞれのスペーサ１８６の間に配置されることで、スペーサ１８６が、接触面１１４との接触によって押し要素１１２をハウジング１０２に対して回転に関して固定する。しかしながら、この構成において、押し要素１１２は、ハウジング１０２に対して軸方向に移動することができる。
【００９７】
図１１は、おおむね筒状の本体１７０を備えている駆動部材１１０の斜視図であり、この筒状の本体１７０が、近位端部分から延びる２つの半径方向反対向きの縦長のスリット１７１を有しており、各々のスリット１７１が、縦長の接触面１７２に隣接している。段部１７７が、筒状の本体１７０を、案内部材１２０の案内面を移動するように構成された２つのスライド部材１７３を備えている遠位部に接続している。スライド部材１７３は、縦長の案内面１２４のうちの一方にそれぞれ接触するそれぞれのスライド面１７５を有している。爪１７６が、爪１７６がスライド部材１７３と同じ平行移動および／または回転運動を被り、その逆も然りであるように、スライド部材１７３に堅固に接続されている。段部１７７が、ばね１１１とドライバ１１０との間の軸方向の力の交換のための物理的な境界面をもたらす。ばね保持部１７９が、ばね３１１とドライバ３１０との間のトルクの交換のための物理的な境界面をもたらす。らせん状の軌道１７８が、押し要素１１２のスナップアーム１１８と相互作用し、ドライバ１１０の押し要素１１２に対する回転運動を可能にするように構成されている。
【００９８】
図１２ａは、ピストンロッド１０７の２つの側面を示す斜視図である。いくつかの歯１１９が、第１の面においてピストンロッド１０７に沿って分布しており、連続した２つの歯１１９の間の距離は、分布の全体にわたって一定である。歯１１９は、投薬量の注射の際にドライバ１１０に係合するように構成されており、爪１７６が歯１１９に係合し、ピストンロッド１０７と一緒に前方へと移動する。さらに、第２の面には、より小さな歯１９５の集団が、ピストンロッド１０７に沿って一様に分布している。注射の際に、一方のクリックフィンガ１２６の先端１２７が歯１９５に乗り上げ、注射の進行の聴覚による確認を提供する。
【００９９】
図１２ｂは、ピストンロッド１０７の他の２つの側面を示す斜視図である。第１の面の反対側の第３の面において、いくつかの歯１１９が、第１の面における分布と同様のやり方で分布している。第４の面には、いくつかの歯１９６が分布しており、歯１９６は、歯１１９よりも小さいが、歯１９５よりも大きい。連続した２つの歯１９６の間の距離は、ピストンロッド１０７の第１および第３の面の連続した２つの歯１１９の間の距離に等しい。しかしながら、歯１９６は、歯１１９から軸方向にずらされている。注射の終わりにおいて、他方のクリックフィンガ１２６の先端１２７が、歯１９６に乗り上げ、投薬量の完了の聴覚による確認をもたらす。歯１９６が歯１９５よりも大きいため、クリックフィンガ１２６が歯１９６に乗り上げるときにもたらされるクリック音は、クリックフィンガ１２６が歯１９５に乗り上げるときにもたらされるクリック音から、聴覚的に識別可能である。歯１９６およびクリックフィンガの先端１２７は、ピストンロッド１０７の案内部材１２０に対する近位方向への移動を防止する一方向のラチェットおよび爪機構をもたらすように構成されている。
【０１００】
図１３は、ばね１１１の一端をハウジング１０２に対して恒久的な位置に保持するように構成されたばねベース１６０の斜視図である。ばねベース１６０は、２つの半径方向反対向きのアーム１６４を有しており、各々のアーム１６４が、ハウジング１０２のそれぞれの開口１６１との係合のためのフック１６２を備えている。フック１６２と開口１６１との間の係合により、ばねベース１６０は、ハウジング１０２に完全に固定され、すなわちばねベース１６０のハウジング１０２に対する回転運動および平行移動の実行が防止される。ボス部材１６５が、ばね１１１の近位端を保持し、ドライバ１１０の軸方向の移動を制限するために設けられている。ばねベース１６０は、連結リング１３０に当接するように構成された近位面１６３と、連結リング１３０をばねベース１６０に対して軸方向について固定する１対のスナップアーム１６８とをさらに備えている。さらに、突起１６７が、注射ボタン１０５との連動のために設けられている。
【０１０１】
図１４が、注射ボタン１０５をドライバ１１０に連結するように構成された連結リング１３０の斜視図である。連結リング１３０は、近位面１３１および遠位面１３２と、２つの半径方向において向かい合う隆起１３３とを有しており、隆起１３３が、ドライバ１１０の筒状の本体１７０の接触面１７２と相互作用して、連結リング１３０とドライバ１１０との間に回転に関する主従関係をもたらすように構成されている。使用時、隆起１３３および接触面１７２が、連結リング１３０が時計方向に回転させられるときにドライバ１１０が時計方向に回転させられ、ドライバ１１０が反時計方向に回転させられるときに連結リング１３０が反時計方向に回転させられるように、対をなして当接する。連結リング１３０の遠位面１３２が、ばねベース１６０の近位面１６３に当接するように構成され、連結リング１３０の近位面１３１に、スナップアーム１６８が係合するように構成されており、すなわち連結リング１３０が軸方向についてばねベース１６０に固定される。連結リング１３０およびドライバ１１０は、スリット１７１の長さによって限定された相対的平行移動を実行することができる。２つの突起１３４が、注射ボタン１０５との結合のために設けられている。さらに、連結リング１３０の材料の厚さが、ばねベース１６０に関して連結リング１３０の回転方向の遊びをもたらすために、周方向において変化している。この点に関し、スナップアーム１６８が、連結リング１３０がばねベース１６０に対して回転するときにそれぞれの壁１３５および１３６の間をスライド可能である。
【０１０２】
図１５が、注射装置１００の操作者と連動するための押し面１５２を備えている注射ボタン１０５の斜視図である。注射ボタン１０５は、それぞれがらせん状の軌道１５１および縦方向のスリット１５７を備えている２つのフランジ１５３をさらに備えている。らせん状の軌道１５１は、それぞれの突起１３４と整合して注射ボタン１０５の平行移動を連結リング１３０の回転運動に変換し、その逆も然りであるように構成されている。さらに、それぞれのアーム１６４と整合する２つのすき間１５４が設けられ、注射ボタン１０５のばねベース１６０に対する回転運動を防止しつつ、注射ボタン１０５のばねベース１６０に対する平行移動を可能にしている。ばねベース１６０がハウジング１０２に対して回転に関して固定されているため、注射ボタン１０５は、ハウジング１０２に対して平行移動のみが可能である。縦方向のスリット１５７が、それぞれの突起１６７をスライド可能に占めるように構成されている。したがって、注射ボタン１０５のばねベース１６０に対する平行移動は、近位方向については突起１６７と縦方向のスリット１５７のそれぞれの遠位端との間の相互作用によって限定され、遠位方向についてはアーム１６４のそれぞれの近位端とすき間１５４のそれぞれの近位端との間の相互作用によって制限される。
【０１０３】
図１６は、ドライバ１１０と、ばね１１１と、連結リング１３０と、ばねベース１６０と、ピストンロッド１０７とからなるアセンブリを示す斜視図である。特に、図１６は、連結リング１３０とばねベース１６０との間の軸方向について固定された結合を示している。
【０１０４】
図１７は、注射ボタン１０５と、ドライバ１１０と、ばね１１１と、連結リング１３０と、ばねベース１６０と、押し要素１１２と、ピストンロッド１０７とからなるアセンブリを示す斜視図であり、注射ボタン１０５とドライバ１１０との間の機能的な接続を示している。この図は、ばねベース１６０に対して完全に押し込まれた状態にあり、すなわち投薬量の注射直後に相当する位置にある注射ボタン１０５を示している。ばねの近位端（見て取ることができない）が、ばねベース１６０に保持され、ばねの遠位端が、ばね保持部１７９においてドライバ１１０につながっている。ばねベース１６０がハウジング１０２に固定され、したがって動くことができないため、あらかじめねじられたばね１１１が、ドライバ１１０を注射ボタン１０５から見て反時計方向に付勢している。
【０１０５】
注射の手順において、押し面１５２が押されることで、注射ボタン１０５がばねベース１６０に向かって下方へと押される。注射ボタン１０５がばねベース１６０に対して回転せぬように固定されているため、この下方移動は、純粋に平行移動である。注射ボタン１０５の平行移動の際に、突起１３４が、らせん状の軌道１５１を移動する。この係合により、注射ボタン１０５の移動が連結リング１３０の回転運動へと変換され、連結リング１３０が回転に関してドライバ１１０に係合しているため、ドライバ１１０も回転する。らせん状の軌道１５１は、注射ボタン１０５がばねベース１６０に向かって押されるときに、連結リング１３０（したがって、ドライバ１１０）が注射ボタン１０５から見て時計方向に（すなわち、ばね１１１の回転の付勢に逆らって）回転するように配置されている。
【０１０６】
図１８が、それぞれのスライド部材１７３およびピストンロッド１０７について、注射装置１００のプライミング、注射、および装てんの際のお互いおよびハウジング１０２の案内部材１２０に対する移動パターンの二次元表示である。図１８の表現は、スライド部材１７３の接触足１７４および爪１７６がハウジング１０２に対して軸方向に整列していると仮定している。これは、必ずしも当てはまらない可能性がある。しかしながら、ここでは、分かりやすくするために、ドライバ１１０のそのような特定の構成が適用される。案内部材１２０が、２つのスライド部材１７３が同時に移動する２組の案内面を備えることを、理解される。しかしながら、このそれぞれの案内面に沿ったスライド部材１７３の移動は同一であるため、一方だけが示される。種々の移動が、以下でさらに詳しく説明される。
【０１０７】
図１９は、注射後の注射装置１００の断面図である。押し要素１１２の脚１１３を、図７および８においては、窓１９９を通して見ることができた一方で、今やドライバ１１０の段部１７７を視認できることを、見て取ることができる。押し要素１１２とドライバ１１０との間の境界は、注射が完全に完了した地点（すなわち、設定された薬剤の投薬量の全体がカートリッジ１０４から吐き出される時点）においてのみドライバ１１０が窓１９９を通して視認可能になるように配置されている。ドライバ１１０は、ユーザが所望の投薬量が実際に送り出されたか否かを窓を通して確認できるよう、押し要素１１２とは異なる色を有している。ユーザが注射ボタン１０５を押し下げた数秒後窓がドライバ１１０の色で完全に満たされない場合、それは、送出に対して妨げが生じ、投薬量が完了していないことを知らせている。この実施形態においては、ドライバ１１０が緑色であって、押し要素１１２が黒色である。しかしながら、これら２つの構造要素について、それらを視覚的に区別することができる限りにおいて、任意の色の組み合わせを考えることができる。
【０１０８】
図１９においては、クリックフィンガ１２６の先端１２７が、投薬量の完了について聴覚による知らせをさらにもたらす投薬量終了のクリック歯１９６をちょうど過ぎていることも、見て取ることができる。これにより、短い聴覚によるクリック音と長続きする視覚的な色の変化という２つの異なる投薬量終了インジケータがもたらされ、ユーザの安全性が高められる。
【０１０９】
図３〜１９に示した注射装置の動作
以下で、図３〜１９に示したとおりの本発明の第２の実施形態による注射装置１００について、使用の状況を説明する。
【０１１０】
図３および７に示されている注射装置１００は、キャップ１１５が取り付けられた非使用の状態にある。キャップ１１５は、キャップ受け入れ部１０９において注射装置１００に取り付けられている限りにおいて、キャップの縁１８２によって押し要素１１２の接触足１１６に接触し、押し要素１１２が遠位方向へと軸方向に移動することがないようにしている。押し要素１１２は、ドライバ１１０に当接しており、押し要素１１２の軸方向における位置が、ハウジング１０２内のドライバ１１０の軸方向における位置を決定している。キャップ１１５がキャップ受け入れ部１０９に取り付けられるとき、ドライバ１１０の接触足１７４が、案内部材１２０の投薬量シェルフ１２３から離れるように近位方向に持ち上げられる。この位置において、キャップ１１５は、軸方向に圧縮されてドライバ１１０へと遠位方向への力を作用させるばね１１１の付勢に対抗し、遠位方向へのドライバ１１０の軸方向の移動を防止する。爪１７６が、それぞれの歯１９１から離れており、ドライバ１１０とピストンロッド１０７との間の小さなすき間をもたらしている。
【０１１１】
ユーザは、注射の実行が必要であるとき、キャップ１１５を注射装置１００から取り外す。注射針１０６が針ハブインターフェイス１４３に取り付けられている場合、以下が生じる。キャップ１１５から押し要素１１２への近位方向へと向いた力が取り除かれ、ばね１１１が解放され、ドライバ１１０を遠位方向へと、スライド部材１７３の接触足１７４が投薬量シェルフ１２３に達するまで移動させる。これが生じるとき、ドライバ１１０は停止させられ、ばね１１１が、新たなわずかに低い圧縮状態に保持される。ドライバ１１０が堅固な構造であるがゆえに、スライド部材１７３の移動が爪１７６に直接反映され、爪１７６が、対応する距離だけ遠位方向に移動する。この移動の最中のどこかの地点で、爪１７６が１対の歯１９１に係合し、ピストンロッド１０７をわずかな距離だけ引きずって移動させる。図１８から見て取ることができるとおり、キャップ１１５をキャップ受け入れ部１０９から取り除くことで、スライド部材１７３、したがってドライバ１１０および爪１７６の遠位方向への移動Ｄが生じる。爪１７６および歯１９１（分かりやすくするため、図１８においては歯１９２として示されている）の係合は、ドライバ１１０が距離Ｄ−Ｅだけ移動したときに生じ、したがってこれによって生じる歯１９１（図１８における歯１９２）の遠位方向への移動（すなわち、ピストンロッド１０７の遠位方向への移動）は、Ｅである。
【０１１２】
ピストンロッドの足１４７とピストン１０８との間に初期の遊びが存在しない場合、ピストンロッド１０７の移動の全体がピストン１０８へと伝えられ、すなわちピストン１０８が距離Ｅだけ移動する。しかしながら、ピストンロッドの足１４７とピストン１０８との間に初期の遊びδ（図示されていない）が存在する場合には、ピストン１０８の移動量はＥ−δである。
【０１１３】
いずれの場合も、キャップ１１５をキャップ受け入れ部１０９から取り外すことで、カートリッジ１０４内でピストン１０８が自動的に前進し、少量の薬剤が注射針１０６を通って吐き出される。このようにして注射針１０６の空気が自動的に取り除かれ、ピストンロッドの足１４７とピストン１０８との間の適切な当接を確実にすることで、注射装置１００は、投薬量の薬剤を注射するためにすぐに使用できる状態である。
【０１１４】
ユーザは、皮膚を貫いて注射針１０６を挿入し、押し面１５２へと力を加え、注射ボタン１０５をハウジング１０２に向かって下方へと押す。これにより、ばねベース１６０のアーム１６４の近位端とすき間１５４の近位端とが当接するまで、注射ボタン１０５がハウジング１０２に対して純粋な平行移動で遠位方向に移動する。この注射ボタン１０５の移動の際に、突起１６７が、縦方向のスリット１５７のそれぞれの遠位端に位置する位置から、縦方向のスリット１５７のそれぞれの近位端に位置する位置まで、縦方向のスリット１５７を移動する。さらに、突起１３４が、やはり近位方向にらせん状の軌道１５１を移動する。注射ボタン１０５がハウジング１０２に対して回転に関して固定されているため、このらせん状の軌道１５１に沿った突起１３４の移動により、連結リング１３０がばねベース１６０に対して時計方向に回転する。連結リング１３０とドライバ１１０との間の回転に関する主従関係ゆえに、連結リング１３０の回転が、ドライバ１１０へと直接伝達される。したがって、ドライバ１１０が、ばね保持部１７９に働くばね１１１の回転付勢に逆らって時計方向に回転させられる。
【０１１５】
ドライバ１１０は、ハウジング１０２に対して回転するとき、押し要素１１２および案内部材１２０に対しても回転する。スライド部材１７３が、縁１２８に達するまで投薬量シェルフ１２３に沿ってスライドする。スライド部材１７３が縁１２８を過ぎるとき、ばね１１１が軸方向の保持から解放され、ドライバ１１０を遠位方向に押すことによって、スライド部材１７３が投薬量ストッパ１２５の端部に達するまで縦長の案内面１２４を移動する。スライド部材１７３は、縦長の案内面１２４に沿って移動しているとき、および投薬量ストッパ１２５の端部に位置しているときの両方において、ドライバ１１０を反時計方向に付勢しているばね１１１のねじりの力によって縦長の案内面１２４へと付勢されている。これは、ドライバ１１０が投薬位置の終わりに位置しているとき、ハウジング１０２に対して回転できないことを意味する。ドライバ１１０がハウジング１０２に対して回転できず、連結リング１３０についても同様であり、連結リング１３０がハウジング１０２に対して回転できないため、注射ボタン１０５が、ハウジング１０２に対する自身の軸方向の位置を維持するように強いられる。換言すると、ひとたびユーザが注射機構を作動させると、注射ボタン１０５がハウジング１０２に対して押し込まれた状態のままである。
【０１１６】
ドライバ１１０の遠位方向への移動の際に、爪１７６によって引きずられるピストンロッド１０７、ひいてはピストン１０８が、ユーザへと届けるべき所望の量の薬剤に相当する距離Ｈ（図１８を参照）だけ変位する。ピストンロッド１０７がハウジング１０２に対して変位することで、クリックフィンガ１２６のうちの１つが、歯１９５の集団に乗り上げ、注射が実際に進行中である旨の聴覚による知らせをユーザへともたらす。このようにして、投薬量の送出の過程において、ピストンロッド１０７は、Ｅ＋Ｈに等しい総距離Ａだけ変位する。ピストンロッド１０７、ドライバ１１０、および案内部材１２０は、ＥがＨよりもはるかに小さく、すなわちプライミング量が常に治療用の投薬量よりもわずかであるような互いの配置および構成を有している。
【０１１７】
ドライバ１１０は、ハウジング１０２内を遠位方向に移動するとき、押し要素１１２を同じ方向に押す。最初に、注射が進行中である限りにおいて、押し部材１１２が、ユーザが窓１９９を通して眺めたときにユーザにとって視認可能である。しかしながら、スライド部材１７３が移動して投薬量ストッパ１２５の端部に当接するまさにその時点で、ドライバ１１０が押し要素１１２を窓１９９を完全に過ぎて押し、結果としてドライバ１１０だけが、ユーザが窓１９９を通して眺めたときにユーザにとって視認可能である。ドライバ１１０が緑色であり、押し要素１１２が黒色であるため、投薬量の完了時に窓１９９の色が変わり、注射が妨げなく終わったことをユーザに知らせる。同時に、クリックフィンガ１２６の先端１２７が投薬量クリック歯１９６の端部に乗り上げ、投薬量が最後まで実行されたことをユーザにやはり知らせる聞き取り可能なクリック音をもたらす。
【０１１８】
ユーザがキャップ１１５を取り除いたときに注射針が針ハブインターフェイス１４３に取り付けられていない場合、ドライバ１１０が、爪１７６が歯１９１に係合し、ピストンロッドの足１４７がピストン１０８に当接するまで、ばね１１１によって遠位方向に押される。ピストンロッドの足１４７とピストン１０８との間に初期の遊びが存在しないならば、ドライバ１１０の遠位方向への移動は、Ｄ−Ｅである（図１８を参照）。ピストンロッドの足１４７とピストン１０８との間に初期の遊びδ（図示されていない）が存在する場合、ドライバ１１０の遠位方向への移動は、Ｄ−Ｅ＋δである。いずれの場合も、ピストンロッド１０７がピストンロッドの足１４７を介してピストン１０８に圧力を加えるが、ピストン１０８は、カートリッジ１０４の中身の非圧縮性ゆえに動くことがない。しかしながら、カートリッジ１０４は、ユーザが注射針１０６を針ハブインターフェイス１４３に取り付けるまでは、ドライバ１１０に一定の力を作用させるばね１１１ゆえに加圧されたままである。注射針１０６が膜１４２を貫くと、カートリッジ１０４内の超過の圧力が緩められ、結果としてばね１１１が、スライド部材１７３が投薬量シェルフ１２３に達するまでドライバ１１０をさらに遠位方向へと押すことができる。この時点で、ドライバ１１０が停止し、ばね１１１が、新たなわずかに低い圧縮状態に保持される。これにより、上述の状況と同様に、ピストン１０８が距離Ｅ（ピストンロッドの足１４７とピストン１０８との間に初期の遊びが存在しない場合）または距離Ｅ−δ（ピストンロッドの足１４７とピストン１０８との間に初期の遊びが存在する場合）のいずれかだけ移動し、少量の薬剤をカートリッジ１０４から吐き出させる。今や注射装置１００が自動的にプライミングされており、続く注射の手順は、上述した手順と同一である。
【０１１９】
注射後にキャップ１１５をキャップ受け入れ部１０９へと再び取り付けることで、次の投薬量が、以下で説明されるとおりに設定される。
【０１２０】
キャップ１１５をキャップ受け入れ部１０９へと再び取り付ける最中のいずれかの時点において、キャップの縁１８２が脚１１３の接触足１１６に当接し、キャップの縁１８２が注射装置１００の近位端に向かってさらに徐々に動かされるにつれて、押し要素１１２も近位方向に移動する。この押し要素１１２の近位方向への移動により、ドライバ１１０が、ばね１１１の軸方向の付勢に逆らって近位側へと移動する。これにより、ドライバ１１０が窓１９９から離れるように押され、スライド部材１７３が、投薬量ストッパ１２５の端部から縁１２８に向かって縦長の案内面１２４を移動する。スライド部材１７３が距離Ｈだけ移動し、縁１２８に達するとき、ばね１１１の回転の付勢が、ドライバ１１０をハウジング１０２に対して反時計方向に回転させる。この回転の際に、ドライバ１１０は、押し要素１１２上のらせん状の案内部１１７に沿ってスライドする。ドライバ１１０がらせん状の案内部１１７を移動するとき、爪１７６が、平行移動および回転運動の組み合わせにて、次の１対の歯１９２の直下の位置から歯１９２のわずかに上方の位置へと距離Ｄだけ近位方向に移動する。これにより、小さなすき間が爪１７６と歯１９２との間に導入される（すき間の軸方向の長さは、装てんプロセスによってピストンロッドの足１４７とピストン１０８との間に遊びが導入されているか否かに左右される）。
【０１２１】
ドライバ１１０の反時計方向の回転が、接触面１７２と隆起１３３との間の係合ゆえに、連結リング１３０の同じ反時計方向の回転をもたらす。連結リング１３０の回転は、突起１３４とらせん状の軌道１５１との間の相互作用ゆえに、ハウジング１０２から出ようとする近位方向の注射ボタン１０５の平行移動につながる。このようにして生じる注射ボタン１０５の軸方向の移動は、縦長のスリット１５７における突起１６７の移動によって制限される。突起１６７が縦長のスリット１５７の遠位端に達するとき、注射ボタン１０５はハウジング１０２からそれ以上は突き出すことができないため、注射ボタン１０５の移動が停止する。したがって、連結リング１３０の回転も停止し、ドライバ１１０の回転も停止する。ばね１１１が、今や元のあらかじめの力が加えられた状態に回転に関して保持されている。
【０１２２】
ユーザが、次に注射を行うことを決定したときに、単にキャップ１１５をキャップ受け入れ部１０９から取り外し、注射針１０６を針ハブインターフェイス１４３へと取り付けることで、上述の自動プライミングが注射装置１００によって実行される。したがって、ユーザは、注射装置１００の手作業によるプライミングの実行を覚えている必要がなく、そのまますぐに注射の手順へと進むことができる。
【図１】
0005778143.tif 000002
【図２】
0005778143.tif 000003
【図３】
0005778143.tif 000004
【図４】
0005778143.tif 000005
【図５】
0005778143.tif 000006
【図６】
0005778143.tif 000007
【図７】
0005778143.tif 000008
【図８】
0005778143.tif 000009
【図９】
0005778143.tif 000010
【図１０】
0005778143.tif 000011
【図１１】
0005778143.tif 000012
【図１２ａ】
0005778143.tif 000013
【図１２ｂ】
0005778143.tif 000014
【図１３】
0005778143.tif 000015
【図１４】
0005778143.tif 000016
【図１５】
0005778143.tif 000017
【図１６】
0005778143.tif 000018
【図１７】
0005778143.tif 000019
【図１８】
0005778143.tif 000020
【図１９】
0005778143.tif 000021